(57)【要約】      （修正有）【課題】便座の形状や大きさにかかわらず、殆どすべての便座に適用できる新規な便座クッションを提供する。【解決手段】Ｏ型またはＵ型をした便座１３０の上面の一方側に取り付けられる右クッション部材１１０と、当該右クッション部材１１０と対向するように便座１３０の上面の他方側に取り付けられる左クッション部材１２０とからなり、右クッション部材１１０および左クッション部材１２０を、便座１３０に沿うように湾曲させると共に、復元可能な弾性材から構成する。このように、右クッション部材１１０および左クッション部材１２０を便座１３０に沿うように湾曲させると共に、独立分離することにより、あらゆる形状の便座に対しても確実にフィットすることができる。【選択図】図１
0003227381.tif 000002
【実用新案登録請求の範囲】
【請求項１】
Ｏ型またはＵ型をした便座の上面の一方側に取り付けられる右クッション部材と、当該右クッション部材と対向するように前記便座の上面の他方側に取り付けられる左クッション部材とからなり、
前記各右クッション部材および左クッション部材は、前記便座に沿うように湾曲していると共に、自己復元可能な弾性体からなることを特徴とする便座クッション。
【請求項２】
請求項１に記載の便座クッションにおいて、
前記右クッション部材および左クッション部材は、低反発弾性フォームまたは軟質のポリウレタンフォームからなることを特徴とする便座クッション。
【請求項３】
請求項１または２に記載の便座クッションにおいて、
前記右クッション部材および左クッション部材の前記便器の当接面に接着層を有することを特徴とする便座クッション。
【請求項４】
請求項３に記載の便座クッションにおいて、
前記接着層は再剥離可能な弱粘着テープからなることを特徴とする便座クッション。
【請求項５】
請求項１乃至４のいずれかに記載の便座クッションにおいて、
前記右クッション部材および左クッション部材は、その厚さが全体に亘って１５〜３５ｍｍであることを特徴とする便座クッション。
【考案の詳細な説明】
【技術分野】
【０００１】
本考案は、洋式トイレの便座に取り付けて用いる便座クッションに関するものである。
【背景技術】
【０００２】
従来、洋式トイレの便器に取り付けられる便座は、硬いプラスチック製のものが殆どであるため、長時間座っていると臀部が痛くなってくることがある。このため、便座の表面を柔らかい布製のカバーで覆ったり、さらにそのカバーにクッション性を付与して痛みを和らげようとした製品が従来から数多く提案されている。
【０００３】
例えば、以下の特許文献１乃至３には、便座の形に合わせた便座用座布団や弾性材からなる便座型あるいはマットを形成し、それらを面ファスナーで便器の表面に取り付けるようにしたものが提案されている。また、以下の特許文献４には、軟質樹脂発泡体からなる芯材を樹脂フォルムまたはシートで被覆した便座クッションが提案されている。
【先行技術文献】
【特許文献】
【０００４】
【特許文献１】実開昭２７−６８６９８号公報
【特許文献２】実開平２−１１４９６号公報
【特許文献３】実開平２−８４５９４号公報
【特許文献４】特開２００１−１６１６０１号公報
【考案の概要】
【考案が解決しようとする課題】
【０００５】
ところで、これら従来のものは、予め既存の便座の形に合わせて型取りまたは成形されているため、便座の形や大きさなどが変わるとうまくフィットしないという問題がある。特に近年では温水洗浄便座の普及により、メーカー毎に多種多様の形状や大きさの便座が存在しており、それらを含めた新しい便座の形状や大きさに合わせて製造することはコスト的にも割に合わない。
【０００６】
そこで、本考案の目的は、これらの課題を解決するために案出されたものであり、その目的は、便座の形状や大きさにかかわらず、殆どすべての便座に適用できる新規な便座クッションを提供することにある。
【課題を解決するための手段】
【０００７】
前記課題を解決するために第１の考案は、Ｏ型またはＵ型をした便座の上面の一方側に取り付けられる右クッション部材と、当該右クッション部材と対向するように前記便座の上面の他方側に取り付けられる左クッション部材とからなり、前記各右クッション部材および左クッション部材は、前記便座に沿うように湾曲していると共に、自己復元可能な弾性材からなることを特徴とする便座クッションである。
【０００８】
このような構成によれば、利用者が便座に座った際にその右臀部および右太腿部分が右クッション部材上に位置すると共に、左臀部および左太腿部分が左クッション部材上に位置するようになるため、その体重によって右クッション部材および左クッション部材を構成する弾性体が押し潰されるように変形する。これによって、両臀部および両太腿の局所的にかかっていた圧力が両臀部および両太腿全体に分散されるため、長時間座っていてもおしりが痛くならない。
【０００９】
また、この右クッション部材および左クッション部材はそれぞれ独立分離しているため、あらゆる形状の便座に対しても確実にフィットすることができる。また、これら右クッション部材および左クッション部材は、体重の負荷がなくなると元の形に自己復元するため、再度使用したときにも良好なクッション性能を発揮できる。
【００１０】
第２の考案は、第１の考案において、前記右クッション部材および左クッション部材は、軟質のポリウレタンフォームからなることを特徴とする便座クッションである。このように軟質のポリウレタンフォームを使用することにより、体重がかかったときにゆっくりと変形して適度なクッション性能を発揮することができる。
【００１１】
第３の考案は、第１または第２のに記載の便座クッションにおいて、前記右クッション部材および左クッション部材の前記便器の当接面に接着層を有することを特徴とする便座クッションである。このような構成によれば、使用時に右クッション部材および左クッション部材が便座からずれたり外れたりするのを防止できると共に、便座を立てたときの落下も防止できる。
【００１２】
第４の考案は、第３の考案において、前記接着層は再剥離可能な弱粘着テープからなることを特徴とする便座クッションである。このような構成によれば、右クッション部材および左クッション部材を必要に応じて何度も脱着することができる。
【００１３】
第５の構成は第１乃至第４の考案において、前記右クッション部材および左クッション部材は、その厚さが全体に亘って１５〜３５ｍｍであることを特徴とする便座クッションである。このような範囲の厚さとすることにより、適度なクッション性能を発揮することができる。ここでその厚さを１５〜３５ｍｍと規定したのは、１５ｍｍではクッション性能が低くなってしまい、反対に３５ｍｍを超えると、クッション性能があまり変わらないばかりでなく、材料費が高くなったり、便座の蓋が閉まらなくなってしまうからである。
【考案の効果】
【００１４】
本考案によれば、この右クッション部材および左クッション部材はそれぞれ独立分離しているため、あらゆる形状の便座に対しても確実にフィットすることができる。また、これら右クッション部材および左クッション部材は、弾性体で構成されているため、体重がかかったときに容易に変形して体圧を分散できると共に、体重の負荷がなくなると元の形に自己復元するため、再度使用したときにも良好なクッション性能を発揮できる。さらに、便座の当接面に接着層を備えたため、使用時に右クッション部材および左クッション部材が便座からずれたり外れたりするのを防止できると共に、便座を立てたときの落下も防止できる。また、接着層を再剥離可能な弱粘着テープで構成したため、右クッション部材および左クッション部材を必要に応じて何度も脱着することができる、などといった優れた効果を発揮する。
【図面の簡単な説明】
【００１５】
【図１】本考案に係る便座クッション１００を便座１３０に取り付けた状態を示す斜視図である。
【図２】本考案に係る便座クッション１００の実施の一形態を示す平面図である。
【図３】図２中、Ａ−Ａ線拡大断面図である。
【図４】図３中、Ａ部を示す部分断面図である。
【図５】着座前後（Ａ）および着座中（Ｂ）の便座クッション１００の状態を示す説明図である。
【考案を実施するための形態】
【００１６】
以下、本考案の実施の形態を添付図面を参照しながら説明する。図１乃至図３は本考案に係る便座クッション１００の実施の一形態を示したものである。本考案に係る便座クッション１００は図２に示すように一方向に湾曲した右クッション部材１１０と、この右クッション部材１１０側に湾曲した相似形の左クッション部材１２０とから構成されている。
【００１７】
これら一対の右クッション部材１１０および左クッション部材１２０の大きさは、図２および図３に示すようにそれぞれその長さＨが約３０〜３３ｃｍ、幅Ｗが５５〜８０ｍｍ、厚さＴが１５〜３５ｍｍとなっている。そして、図１に示すように右クッション部材１１０が、便座１３０の一方側（右側）に沿ってこれを覆うようにその上面に取り付けられると共に、左クッション部材１２０がこの右クッション部材１１０と対向するように便座１３０の他方側（左側）の上面に沿ってそれを覆うように取り付けられるようになっている。
【００１８】
なお、この便座１３０は、洋式便器１４０上に開閉自在に取り付けられる共に、同じく開閉自在な便座蓋１５０を備えている。また、この便座１３０は、図示するように中央が開口したＯ型のものの他、先端が開口したＵ型のものであってもよい。さらに、この便座１３０は、便座として基本的な機能である着座機能のみを発揮する普通便座の他に、さらに暖房機能（ヒーター）を備えた暖房便座や、図示するような温水洗浄機能を備えた温水洗浄便座であってもよい。ただし、暖房便座の場合は、ヒーターの熱により後述する接着層１１２の粘着力に悪影響を及ぼす可能性があるため、暖房機能はオフとする。
【００１９】
また、この右クッション部材１１０および左クッション部材１２０は、図３および図４に示すように、それぞれ弾性体１１１の便座１３０との当接面（下面）に、その一部または全体に亘って接着層１１２を備えると共に、その接着層１１２の上に剥離紙１１３を重ね合わせた構造となっている。そして、図３に示すようにこの剥離紙１１３を手で剥がしとって接着層１１２を露出させ、適度に位置決めしてからその接着層１１２を便座１３０の各上面に接着させて弾性体１１１を便座１３０上に固定するようになっている。
【００２０】
この右クッション部材１１０および左クッション部材１２０の主たる部分を占める弾性体１１１は、軟質のポリウレタンフォームのような適度なクッション性能（衝撃吸収性、制震性、体圧分散性）を有すると共に、圧縮した後に力を抜くと元の形に自己復元可能な材料からなっている。弾性体１１１は、このような性質のものであれば特に限定されないが、この軟質のポリウレタンフォームのなかでも特に低反発弾性フォームを用いることが望ましい。
【００２１】
軟質ポリウレタンフォームは、ポリオールとポリイソシアネートを主成分として、発泡剤、整泡剤、触媒などを撹拌混合して発泡した軟質発泡材料であるが、低反発弾性フォームは、ポリウレタン樹脂を組成とした連通気泡の発泡体であり、特に低い外圧でも形状がゆっくり変化して体圧を局部に集中せずに分散させる性能（体圧分散性能）に優れているため最適である。そのほかに、衝撃吸収・圧力分散ゲル（熱可塑性エラストマー）などの比較的新しい材料を用いてもよい。
【００２２】
このような構成をした本考案の便座クッション１００は、利用者が便座１３０に座った際にその右臀部および右太腿部分が図１に示すように左クッション部材１２０上に位置すると共に、左臀部および左太腿部分が右クッション部材１１０上に位置するようになる。このため、図５に示すようにその体重によって右クッション部材１１０および左クッション部材１２０を構成する弾性体１１１が垂直に押し潰されるように変形する。これによって、便座１３０から両臀部および両太腿に対して局所的にかかっていた圧力が両臀部および両太腿全体に分散されるため、長時間座っていてもおしりが痛くならない。なお、これら一対の右クッション部材１１０および左クッション部材１２０は、その厚さＴが２５ｍｍの場合、体重が約６０ｋｇの人が座った場合は、約１０ｍｍ程度に押し潰される程度のクッション性を有している。
【００２３】
また、この右クッション部材１１０および左クッション部材１２０は便座１３０のカーブに沿うように湾曲していると共に、それぞれ独立分離しているため、あらゆる形状の便座１３０に対しても確実にフィットすることができる。また、これら右クッション部材１１０および左クッション部材１２０は、利用者が立ち上がって離れると元の形に自己復元するため、再度使用したときにも良好なクッション性能を発揮できる。
【００２４】
また、右クッション部材１１０および左クッション部材１２０の便座１３０の当接面（下面）に接着層１１２を備えたため、使用時や便座１３０を立てたときに右クッション部材１１０および左クッション部材１２０が便座１３０からずれたり落下するのを防止することができる。特に、男女兼用の洋式トイレの場合や清掃の際には、頻繁に便座１３０を立ち上げる必要があるが、その際にいちいち右クッション部材１１０および左クッション部材１２０の着脱作業を繰り返す必要がなくなる。そして、この接着層１１２を弱粘着剤からなる再剥離可能な弱粘着テープで構成すれば、必要に応じて右クッション部材１１０および左クッション部材１２０を便座１３０から簡単に外して何度でも取り付けることができる。
【００２５】
また、この弾性体１１１をブルーやピンク、グリーンなどに着色したり、絵やアニメの主人公などを印刷すれば、トイレ空間や便器周りが華やかになり、トイレタイムの快適性が向上する。また、この右クッション部材１１０および左クッション部材１２０を軟質ポリウレタンフォームや低反発弾性フォームから構成することにより、同時に断熱効果も期待できるため、便器から伝わる冬場の冷たさなどを軽減することもできる。
【符号の説明】
【００２６】
１００…便座クッション
１１０…右クッション部材
１１１…弾性体
１１２…接着層（弱粘着テープ）
１１３…剥離紙
１２０…左クッション部材
１３０…便座
１４０…洋式便器
１５０…便座蓋
【図１】
0003227381.tif 000003
【図２】
0003227381.tif 000004
【図３】
0003227381.tif 000005
【図４】
0003227381.tif 000006
【図５】
0003227381.tif 000007
【手続補正書】
【提出日】令和2年5月25日(2020.5.25)
【手続補正１】
【補正対象書類名】実用新案登録請求の範囲
【補正対象項目名】全文
【補正方法】変更
【補正の内容】
【実用新案登録請求の範囲】
【請求項１】
Ｏ型またはＵ型をした便座の上面の一方側に取り付けられる右クッション部材と、当該右クッション部材と対向するように前記便座の上面の他方側に取り付けられる左クッション部材とからなり、
前記各右クッション部材および左クッション部材は、前記便座に沿うように湾曲していると共に、自己復元可能な弾性体からなることを特徴とする便座クッション。
【請求項２】
請求項１に記載の便座クッションにおいて、
前記右クッション部材および左クッション部材は、低反発弾性フォームまたは軟質のポリウレタンフォームからなることを特徴とする便座クッション。
【請求項３】
請求項１または２に記載の便座クッションにおいて、
前記右クッション部材および左クッション部材の前記便座の当接面に接着層を有することを特徴とする便座クッション。
【請求項４】
請求項３に記載の便座クッションにおいて、
前記接着層は再剥離可能な弱粘着テープからなることを特徴とする便座クッション。
【請求項５】
請求項１乃至４のいずれかに記載の便座クッションにおいて、
前記右クッション部材および左クッション部材は、その厚さが全体に亘って１５〜３５ｍｍであることを特徴とする便座クッション。
【手続補正２】
【補正対象書類名】明細書
【補正対象項目名】００１１
【補正方法】変更
【補正の内容】
【００１１】
第３の考案は、第１または第２に記載の便座クッションにおいて、前記右クッション部材および左クッション部材の前記便座の当接面に接着層を有することを特徴とする便座クッションである。このような構成によれば、使用時に右クッション部材および左クッション部材が便座からずれたり外れたりするのを防止できると共に、便座を立てたときの落下も防止できる。